(57)【要約】【課題】適切な位置に容易且つ確実に装着でき、位置ズレや液の漏れが発生しにくく、更に脱落や過誤による廃棄を防止することのできるパンツ型の補助吸収具を提供すること。【解決手段】使い捨ておむつの内側に併用される補助吸収具１であって、着用時に着用者の腹側に位置する腹側部Ａ、着用者の背側に位置する背側部Ｂ及び該腹側部と該背側部との間に介在する股下部Ｃを有し、該腹側部Ａ及び該背側部Ｂそれぞれの両側縁部同士が接合されてウエスト開口部２２及び一対のレッグ開口部２３，２３が形成されており、股下部Ｃに吸収体１４が配されており、該股下部Ｃにおける該吸収体１４が配された領域Ｒの少なくとも一部が液透過性とされているパンツ型の補助吸収具１。【選択図】    図１
2004154250.tif 000002
【特許請求の範囲】
【請求項１】
使い捨ておむつの内側に併用される補助吸収具であって、
着用時に着用者の腹側に位置する腹側部、着用者の背側に位置する背側部及び該腹側部と該背側部との間に介在する股下部を有し、該腹側部及び該背側部それぞれの両側縁部同士が接合されてウエスト開口部及び一対のレッグ開口部が形成されており、
前記股下部は吸収体を有し、該股下部における該吸収体が配された領域の少なくとも一部が液透過性とされているパンツ型の補助吸収具。
【請求項２】
前記吸収体に、液保持性の材料が配されていない通液部が部分的に形成されている請求項１記載のパンツ型の補助吸収具。
【請求項３】
液透過性の表面シート、裏面シート及び両シート間に介在された液保持性の吸収体を具備する吸収性本体と、該吸収性本体が固定されるパンツ型の外装体とからなり、前記吸収体が配された領域の少なくとも一部における、前記表面シート、前記裏面シート及び前記外装体を構成するシート材がそれぞれ液透過性である請求項１又は２記載のパンツ型の補助吸収具
【発明の詳細な説明】
【０００１】
【発明の属する技術分野】
本発明は、適切な位置に容易且つ確実に装着でき、位置ズレや液の漏れが発生しにくく、更に脱落や過誤による廃棄を防止することのできるパンツ型の補助吸収具に関する。
【０００２】
【従来の技術及び発明が解決しようとする課題】
近年、おむつ交換に伴う労力的、経済的な負担を軽減すべく、補助吸収具（尿取りパッド）を使い捨ておむつの内表面上に載置し、該使い捨ておむつと併用することが広く行われている。
しかし、従来の補助吸収具は、多量の液が排出され、その全量を吸収体で吸収しきれない場合等には、吸収しきれなかった液がおむつ幅方向両側から漏れ出しやすいという問題があった。
【０００３】
特開昭６３−３０９６０１号公報（特許文献１）には、液透過性のトップシート、該トップシートを通過した液を吸収する吸収コアを備え、該吸収コアにおける前記トップシート側とは反対側に、吸収コアを透過した液を透過させる液透過性の裏面シートが配された補助吸収具が開示されている。
この補助吸収具は、補助吸収具で吸収された液の一部を裏面シート側から透過させることにより、側縁からの漏れを防止できるものであるが、他の補助吸収具と同様に、配置位置が適切でなかったり、フィット性が不充分で、着用中に位置ずれが生じたりすることによって所望の吸収性能が得られない場合があり、更に、介護者や被介護者等が誤って落としてしまったり、特に痴呆の人などはトイレに捨ててしまうこともある。
【０００４】
従って、本発明の目的は、適切な位置に容易且つ確実に装着でき、位置ズレや液の漏れが発生しにくく、更に脱落や過誤による廃棄を防止することのできるパンツ型の補助吸収具を提供することにある。
【０００５】
【特許文献１】
特開昭６３−３０９６０１号公報
【０００６】
【課題を解決するための手段】
本発明は、使い捨ておむつの内側に併用される補助吸収具であって、着用時に着用者の腹側に位置する腹側部、着用者の背側に位置する背側部及び該腹側部と該背側部との間に介在する股下部を有し、該腹側部及び該背側部それぞれの両側縁部同士が接合されてウエスト開口部及び一対のレッグ開口部が形成されており、前記股下部は吸収体を有し、該股下部における該吸収体が配された領域の少なくとも一部が液透過性とされているパンツ型の補助吸収具使を提供することにより、上記の目的を達成したものである。
【０００７】
【発明の実施の形態】
以下、本発明をその好ましい実施形態に基づいて説明する。
本発明の一実施形態としてのパンツ型の補助吸収具１は、図１に示すように、ウエスト開口部２２及び一対のレッグ開口部２３を有するパンツ型の形態を有している。
補助吸収具１は、図２に示すように、パンツ型に形成された外装体２１と、該外装体２１の内面（着用者側に向けられる面）に固定された縦長の吸収性本体１１とからなる。
【０００８】
吸収性本体１１は、液透過性の表面シート１２、裏面シート１３及び両シート１２，１３間に介在された液保持性の吸収体１４を具備し、実質的に縦長の矩形状をなしている。吸収体１４は、吸収性本体１１とほぼ相似形状である。表面シート１２及び裏面シート１３は、吸収体１４の周縁部において互いに接合されており、吸収体１４は、表裏面シート１２，１３間に挟持固定されている。
【０００９】
補助吸収具１は、着用時に着用者の腹側に位置する腹側部Ａ、着用者の背側に位置する背側部Ｂ、及び腹側部Ａと背側部Ｂとの間に介在し、着用時に着用者の股下部に位置する股下部Ｃとからなり、腹側部Ａ及び背側部Ｂにおける外装体２１の両側縁同士が、ヒートシール等の公知の接合手段により接合されて、一対のサイド接合部２４（一方のみ図示）、ウエスト開口部２２及び一対のレッグ開口部２３が形成されている。股下部Ｃは、その両側縁部が、前記レッグ開口部の開口周縁部を形成している。
【００１０】
ウエスト開口部２２の開口周縁部及び一対のレッグ開口部２３，２３それぞれの開口周縁部には、それぞれ弾性部材が配されて、ウエストギャザー（ウエスト弾性部）２５及びレッグギャザー（レッグ弾性部）２６が形成されている。また、腹側部Ａ及び背側部Ｂそれぞれにおける胴回り部には、複数本の糸状の弾性部材が所定の間隔でそれぞれ周方向に配されて、胴回りギャザー（胴回り弾性部）２７が形成されている。胴回り部とは、ウエストギャザー形成用の弾性部材の配置位置よりも下方で且つ前記レッグ開口部よりも上方に位置する部分である。
【００１１】
外装体２１は、補助吸収具１の外表面を形成する外層シート２８と、その内側に積層され該外層シート２８に接着された内層シート２９とを具備してなり、これら両シート２８，２９間に、ウエストギャザー２５形成用の弾性部材、レッグギャザー２６形成用の弾性部材及び胴回りギャザー２７形成用の弾性部材が、それぞれ伸張状態で挟持固定されている。
外装体２１を構成する外層シート２８及び内層シート２９は、それぞれ、吸収体１４と重なる部分の全域が液透過性である。また、裏面シート１３は、吸収体１４と重なる部分の全域が液透過性である。
【００１２】
股下部Ｃにおける吸収体１４が配された領域Ｒ（厚み方向の内部に吸収体１４が存在する部分）は、上述したように、該吸収体１４よりも肌当接面側が液透過性の表面シート１２によって形成されており、また、該吸収体１４よりも非肌当接面側が、何れも液透過性である裏面シート１３、内層シート２９及び外層シート２８によって形成されている。そのため、該領域Ｒは、その全域が、厚み方向に液が透過可能な液透過性の領域となっている。
【００１３】
吸収性本体１１は、吸収体１４が股下部Ｃに位置するように、腹側部Ａから股下部Ｃを経て背側部Ｂに亘る方向に配されており、その裏面シート１３側の面が接着剤により内層シート２９に固定されている。
吸収体１４と裏面シート１３との間、裏面シート１３と内層シート２９との間、内層シート２９と外層シート２８との間は、それぞれ、液の透過を阻害しないパターンで塗工された接着剤により接着されている。液の透過を阻害しない接着剤の塗工パターンとしては、ドットパターン、スパイラルパターン、ストライプパターン（線状接着部を間隔を開けて多数本形成するパターン）等が挙げられる。
【００１４】
尚、股下部Ｃにおける吸収体１４が配された領域Ｒの、腹側部Ａから股下部Ｃを経て背側部Ｂに亘る方向の両側には、弾性部材１５を有する立体ギャザー形成用のシート材１６が固定されて立体ギャザー１７が形成されている。
【００１５】
本実施形態の補助吸収具１は、上述したように、ウエスト開口部２２及び一対のレッグ開口部２３が形成されたパンツ型の形態を有するため、下着としてのパンツや、近年汎用されているパンツ型の使い捨ておむつと同様にして着用するだけで、例えば、男性用として排尿を効率良く吸収させるために吸収体を腹側に偏在させたり、便吸収用として吸収体を背側に偏在させたりして、吸収体の中心位置を股下の中心位置からずれるように設計した場合においても、吸収体１４を予め決められた適正な箇所に確実に配置することができると共に、良好なフィット性が得られ着用中に位置ずれが生じにくい。そのため、所望の吸収性能が発現され、また、位置ずれに起因する漏れ等の発生を防止することができる。
【００１６】
また、液透過性の裏面シートを有する従来の補助吸収具（非パンツ型の補助吸収具）の重心を股下の中心からずらした位置に安定して位置させるためには、該吸収具の裏面シート側に配される固着手段（例えば粘着テープ）の面積を広くすることが考えられるが、その面積を広くすると、その分、液透過性領域が狭くなってしまい裏面シート側から液を透過させることができる利点を十分に活かすことができないのに対し、本実施形態の補助吸収具１においては、パンツ型の形態を有しており、着用するだけで、吸収体（補助吸収具）が自ずと予め決められた位置に配されるため、固着手段を設けて使い捨ておむつとの間にズレが生じないようにする場合（例えば、補助吸収具の外表面に、粘着剤の塗布あるいは粘着テープの貼着等により粘着部を形成する場合や、機械的面ファスナーのオス材を設け、使い捨ておむつ側に設けたメス材等に係合させるようにした場合等）においても、その固着手段を設ける面積が小さくて済むため、液透過性領域の面積を制約することがなく、或いは制約することがあってもその程度が極めて小さい。また、従来の補助吸収具の固着手段の固着力を高めると誤った位置に固定してしまった場合に、固定し直すのが容易ではなく、あるいは固定し直す際に補助吸収具がくしゃくしゃになったりして破損してしまうおそれがあるが、本実施形態の補助吸収具１においては、もともとズレ等が生じにくく固着力を高める必要性も小さいため、そのような不都合は生じない。
また、パンツ型の形態を有するため、痴呆の人などが容易に補助吸収具を取り外してしまうことができない。更に補助吸収具単独でも体に装着できる。そのため、介護者や被介護者が誤って落としてしまったり、痴呆の人などがトイレに捨ててしまうといったことも防止できる。
【００１７】
更に、股下部Ｃにおける吸収体１４が配された領域Ｒが液透過性とされているため、図３に示すように、一旦吸収体１４に吸収させた液を、該補助吸収具１に重ねて着用した使い捨ておむつ３の吸収体３４に移行させることができる。そのため補助吸収具１の吸収体１４のみでは保持しきれない量の尿が排泄された場合等であっても、液がおむつ幅方向両側から漏れ出すことがない。このような観点から、液透過性の領域の面積は、前記領域Ｒの面積に対して５〜１００％、特に５０〜９０％であることが好ましい。尚、図３に示す使い捨ておむつ３は、液透過性の表面シート３２、液不透過性の裏面シート３３及び両シート間に介在された液保持性の吸収体３４を具備する公知の使い捨ておむつである。
【００１８】
本実施形態の補助吸収具１における吸収体１４には、図１及び図２に示すように、液保持性の材料が配されていない通液部Ｔが部分的に形成されている。
詳細には、吸収体１４は、パルプ繊維及び／又は高吸水性ポリマーを主体として構成された吸収性コア４１と、該吸収性コア４１を被覆するシート材４２とからなり、全体として見れば液保持性を有している。しかし、吸収性コア４１には、貫通孔４３が複数個、分散した状態に形成されており、各貫通孔４３の両開口部を覆う前記シート材４２も液保持性を有しない材料から構成されている。本実施形態における通液部Ｔは、各貫通孔（空間）４３及び各貫通孔の両開口部を覆う前記シート材４２の一部からなる。
【００１９】
ここで、液保持性の材料とは、液の保持を目的として通常用いられるもの（例えば上述したパルプ繊維や高吸水性ポリマー等）の他、液の保持を目的としないものであるが、親水性のもの（例えば吸収性コア４１を被覆するのに汎用される台紙等）が挙げられる。これに対して、液保持性を有しない材料としては、撥水性で液を拡散も保持もしないもの等を挙げることができる。
吸収体１４に通液部Ｔを形成することにより、排泄量が多い場合や排尿速度が速い場合にも、より素早く尿を下方へ拡散させ、尿を補助吸収具の幅方向両側から漏れ出させることなく、重ねて着用した使い捨ておむつ３の吸収体３４に吸収させることができる。
【００２０】
吸収性コア４１に貫通孔を設けて通液部Ｔを形成する場合、該貫通孔の開口面積、開口総面積、貫通孔を配置する位置等は、排泄量や排尿量を考慮の上、補助吸収具１の吸収体１４と、重ねて着用した使い捨ておむつ３の吸収体３４とに排泄物を効率良く分配させるという観点、あるいは装着者の姿勢から、それぞれ下記範囲内であることが好ましい。
【００２１】
各貫通孔の開口面積；１×１０−４〜８×１０−１ｃｍ２、特に８×１０−３〜８×１０−１ｃｍ２であると、補助吸収具とそれに重ねて着用した使い捨ておむつの両吸収体を特に効率良く使用することができる。
【００２２】
開口総面積；吸収体の全面積（貫通孔の開口部の面積を含む面積）に対して１０〜４０％、特に１５〜２５％であると、補助吸収具とそれに重ねて着用した使い捨ておむつの両吸収体を特に効率良く使用することができる。前記範囲の下限値未満であると使い捨ておむつ側の吸収体が、上限値超であると補助吸収具側の吸収体が有効に利用されないまま、漏れを生じる恐れがある。
【００２３】
貫通孔を配置する位置；本実施形態の補助吸収具１の装着者としては、歩行が可能であるが介助が必要な高齢者が特に想定されるため、排泄物も股下部から真下方向へ拡散させる必要がある。よって、補助吸収具の前後方向中心点の前後合計で股下部全長の３０％の範囲内に開口総面積の５０〜１００％、好ましくは７０％〜１００％が存在することが好ましい。このように貫通孔を配置すると、補助吸収具と重ねて着用した使い捨ておむつへの拡散が特にスムーズであり、補助吸収具の幅方向両側からの漏れが一層確実に防止される。
【００２４】
貫通孔の平面視形状（開口部の形状）；円形、楕円形、四角形、菱形等、任意の形状とすることができるが、円形又は楕円形等が好ましい。
【００２５】
本実施形態の補助吸収具１の各部の形成材料について説明する。
表面シート１２、立体ギャザー形成用のシート材１６の形成材料としては、従来、使い捨ておむつや生理用ナプキン等の吸収性物品において、それぞれ表面シート、立体ギャザー形成用のシート材として用いられているものを特に制限なく用いることができる。尚、立体ギャザー形成用のシート材１６は、撥水性の不織布や樹脂フィルム等からなるものが好ましい。
【００２６】
裏面シート１３、外層シート２８、内層シート２９の形成材料としては、使い捨ておむつや生理用ナプキン等の吸収性物品に従来用いられている各種の材料のなかから、少なくとも一部が液透過性である材料を適宜選択して用いることができる。例えば、裏面シート１３の形成材料としては、開孔を設けた樹脂フィルム、開孔を設けた液不透過性の不織布、液透過性の不織布、編物、織物等を用いることができ、内層シート及び外層シートそれぞれの形成材料としては、開孔を設けた樹脂フィルム、開孔を設けた液不透過性の不織布、液透過性の不織布、編物、織物等を用いることができる。
【００２７】
ウエストギャザー２２、レッグギャザー２３、胴回りギャザー２７形成用の各弾性部材としては、それぞれ、パンツ型の使い捨ておむつ等に従来用いられているものと同様のものを用いることができる。
例えば、各弾性部材の形成素材としては、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。各弾性部材としては、各種形態のものを用いることができ、平ゴム、糸ゴム、薄膜状のもの等を用いることができる。
【００２８】
図４は、本発明の他の実施形態としてのパンツ型の補助吸収具１’を示す図であり、この補助吸収具１’における吸収体１４は、その上面及び下面が、それぞれ液透過性である表面シート１２及び裏面シート１３で被覆されており、該吸収体１４の長手方向の両側面部が、撥水性の材料からなる立体ギャザー形成用のシート材１６により被覆されている。前記シート材１６は、表面シート１２及び裏面シート１３に跨るように配され、吸収体１４の上面側において表面シート１１に固定され、該吸収体１４の下面側において裏面シート１３に固定されている。この補助吸収具１’においては、股下部における吸収体１４が配された領域Ｒにおける、幅方向中央の所定幅の領域Ｒ１で且つ長手方向（腹側部Ａから股下部Ｃを経て背側部Ｂに亘る方向）の股下部Ｃの全長に亘る領域が、表面シート１２側から外層シート２８側まで液を通すことのできる液透過性の領域となっている。補助吸収具１’は、パンツ型の形態を有し、その股下部Ｃにおける吸収体１４が配された領域Ｒの一部Ｒ１が液透過性とされているため、上述した補助吸収具１’と同様の作用効果が奏される。ここで、前記液透過性の領域Ｒ１の幅（図４の左右方向の幅）は、前記領域Ｒの幅に対して５０〜９５％、特に６０〜８０％であると、重ねて着用するおむつへの液の移行を、幅方向中心部へ集中させることができるため、重ねて着用するおむつの幅方向両側部からの漏れが防止されることが期待できる。尚、Ｒ１の幅及びＲの幅は、補助吸収具の吸収体の前後方向の中心位置での値とする。この補助吸収具１’の特に説明しない点は、上述した補助吸収具１と同様である。
【００２９】
以上、本発明の好ましい実施形態について説明したが、本発明は上述した各実施形態に制限されることなく、本発明の趣旨を逸脱しない範囲において種々変更可能である。
例えば、上述した補助吸収具１，１’は、外装体２１と吸収性本体１１とからなるものであったが、本発明の補助吸収具は、吸収性本体１１を形成する表面シート１２及び裏面シート１３がパンツ型の形態を形成しており、外装体２１を有しないものであっても良い。
【００３０】
また、補助吸収具１においては、股下部における該吸収体が配された領域Ｒの全域、補助吸収具１’においては、該領域Ｒの吸収具幅方向（腹側部Ａから股下部Ｃを経て背側部Ｂに亘る方向に直交する方向）中央の所定幅部分が液透過性とされていたが、該領域Ｒの他の部位が液透過性とされていても良い。例えば、前記領域Ｒの吸収具幅方向の両端部分や吸収具長手方向の両端部分が液透過性とされていても良いし、該領域Ｒにおける吸収具幅方向の左右の何れか片側のみ、或いは該領域Ｒの吸収具長手方向の前後何れか一方のみが液透過性とされていても良く、更には、該領域Ｒにおける、吸収具幅方向及び／又は長手方向に相互に離間した複数箇所が液透過性とされていても良い。但し、該領域Ｒの長手方向及び幅方向の中央部分が少なくとも液透過性の領域とされていることが好ましい。更に、裏面シート１３、外層シート２８及び内層シート２９は、それぞれ、吸収体が配された領域Ｒに存在する部分（即ち、吸収体１４と重なって存在する部分）を含むそのシート全体が液透過性であっても良い。
【００３１】
また、吸収体としては、液保持性の材料が配されていない通液部Ｔを有しないものであっても良く、使い捨ておむつや生理用ナプキン等の吸収性物品の吸収体として従来用いられている各種構成の吸収体を用いることもできる。
【００３２】
図５は、通液部を有しない吸収体を具備する補助吸収具の例を示す図で、図５に示される補助吸収具１Ａにおいては、吸収体１４を構成する吸収性コア４１の上下面を被覆するシート材４２が親水性の台紙である。この補助吸収具においては、裏面シート１３として、その全域が液透過性の不織布が用いられ、外層シート２８及び内層シート２９として、撥水性（液不透過性）の不織布に、直径０．５〜３ｃｍ程度の円形の通液用開口３０を複数設けたものが用いられている。複数の通液用開口３０は、股下部における吸収体が配された領域Ｒに、補助吸収具の縦横両方向に整列させて設けられており、それにより、液透過性の領域Ｒ１が該領域Ｒの縦横両方向に複数形成されている。
【００３３】
また、外装体２１は、シート材からなるものに代えて、伸縮性を有するネット状物からなるものであっても良い。伸縮性を有するネット状物としては、合成ゴムや天然ゴム、スパンデックス等の弾性組成物を網状に成形したもの、弾性を有しないものを、ゴム編み等によって弾性伸縮性を有するようにしたもの等を用いることができる。
【００３４】
尚、本発明の補助吸収具に重ねて着用する使い捨ておむつは、ファスニングテープを有する、いわゆる展開型の使い捨ておむつであっても良いし、予めパンツ型の形態に形成された、いわゆるパンツ型の使い捨ておむつであっても良い。
また、一の実施形態における説明省略部分及び一の実施形態のみが有する要件は、それぞれ他の実施形態に適宜適用することができ、また、各実施形態における要件は、実施形態間で相互に置換可能である。
【００３５】
【発明の効果】
本発明によれば、適切な位置に容易且つ確実に装着でき、位置ズレや液の漏れが発生しにくく、更に脱落や過誤による廃棄を防止することのできるパンツ型の補助吸収具を提供することができる。
【図面の簡単な説明】
【図１】図１は、本発明の一実施形態としてのパンツ型の補助吸収具を示す斜視図である。
【図２】図２は、図１のＸ−Ｘ線断面を模式的に示す断面図である。
【図３】図３は、図１の補助吸収具の使用状態を示す模式図であり、該補助吸収具を着用した上に更に通常の使い捨ておむつを着用した状態を示す図である。
【図４】図４は、本発明の他の実施形態における股下部の断面を示す図で、図２に相当する図である。
【図５】図５は、本発明の更に他の実施形態における股下部の断面を示す図で、図２に相当する図である。
【符号の説明】
１，１’，１Ａ  パンツ型の補助吸収具
１１    吸収性本体
１２      表面シート
１３      裏面シート
１４      吸収体
２１    外装体
２８      外層シート
２９      内層シート
３    通常の使い捨ておむつ
Ａ    腹側部
Ｂ    背側部
Ｃ    股下部
Ｒ    股下部における吸収体が配された領域
【図１】
2004154250.tif 000003
【図２】
2004154250.tif 000004
【図３】
2004154250.tif 000005
【図４】
2004154250.tif 000006
【図５】
2004154250.tif 000007